(57)【要約】  【課題】  ＴＶ付きの端末装置によりＴＶ放送を視聴中に、受信状態の悪化などで映像障害が発生しても、その期間の放送映像を容易な操作で見ることができるようにする。  【解決手段】  サーバ１１は、各放送局の放送映像を、放送時刻に対応付けながら記録媒体に継続的に記録する。端末１でＴＶ放送を視聴中に、受信状態の悪化により映像障害が発生すると、視聴者は、端末１を操作して、放送局情報及び端末ＩＤを含む視聴情報１０をインターネット２を介してサーバ１１に送信する。サーバ１１は、視聴情報１０を受信した時刻に対応する部分を含む所定範囲の映像データを記録媒体から読み出し、パケット化してインターネット２を介して端末１に対して送信する。端末１は、受信した映像データをメモリに保存し、視聴者の操作に応じて再生する。視聴者は、端末１に対する簡単な操作で、映像障害が発生した部分の放送映像を見ることができる。【選択図】  図１
2006005770.tif 000002
【特許請求の範囲】
【請求項１】
テレビジョン放送を受信する第１の受信手段と、
通信網を介して通信を行う第１の通信手段と、
少なくとも、個体を識別する識別情報と上記第１の受信手段で受信中の上記テレビジョン放送の放送局情報とからなる視聴情報を、所定のタイミングで上記第１の通信手段により送信する送信手段と
を有する端末装置と、
テレビジョン放送を受信する第２の受信手段と、
上記第２の受信手段で受信されたテレビジョン放送による映像データを、放送された時刻を示す放送時刻情報と対応付けて継続的に記録媒体に記録する記録手段と、
上記通信網を介して通信を行う第２の通信手段と、
上記端末装置から送信され上記第２の通信手段で受信された上記視聴情報に応じて、上記記録媒体から上記放送時刻情報により所定範囲を指定して上記映像データを読み出し、読み出された上記映像データを上記第２の通信手段で上記端末装置に向けて送信する制御手段と
を有する映像提供装置と
を備えることを特徴とする映像提供システム。
【請求項２】
請求項１に記載の映像提供システムにおいて、
上記制御手段は、上記視聴情報が受信された時刻を示す時刻情報に対応する上記放送時刻情報に対応付けられた映像データを含む所定時間範囲の上記映像データを上記記録媒体から読み出すようにしたことを特徴とする映像提供システム。
【請求項３】
請求項１に記載の映像提供システムにおいて、
上記端末装置は、視聴者の操作を受け付ける操作手段をさらに有し、
上記送信手段は、上記操作手段に対する上記操作に応じたタイミングで上記視聴情報を送信することを特徴とする映像提供システム。
【請求項４】
請求項３に記載の映像提供システムにおいて、
上記送信手段は、上記第１の通信手段による上記視聴情報の送信に所定時間以上を要すると判断した場合に、上記操作手段に対する操作が行われた時刻を示す時刻情報を、上記視聴情報にさらに含め、上記第１の通信手段による通信が正常状態に復帰したら、該時刻情報を含めた該視聴情報を送信するようにしたことを特徴とする映像提供システム。
【請求項５】
請求項４に記載の映像提供システムにおいて、
上記制御手段は、上記時刻情報を含めた視聴情報の該時刻情報に対応する上記放送時刻情報に対応付けられた映像データを含む所定時間範囲の上記映像データを上記記録媒体から読み出すようにしたことを特徴とする映像提供システム。
【請求項６】
請求項１に記載の映像提供システムにおいて、
上記端末装置は、上記受信手段による上記テレビジョン放送の受信状態を検出する検出手段をさらに有し、
上記送信手段は、上記検出手段による検出結果に基づき、上記受信手段で上記テレビジョン放送が正常に受信されていないと判断されたタイミングで、上記視聴情報を自動的に送信することを特徴とする映像提供システム。
【請求項７】
請求項６に記載の映像提供システムにおいて、
上記送信手段は、上記第１の通信手段による上記視聴情報の送信に所定時間以上を要すると判断した場合に、上記検出手段により上記判断がなされた時刻を示す時刻情報を、上記視聴情報にさらに含め、上記第１の通信手段による通信が正常状態に復帰したら、該時刻情報を含めた該視聴情報を送信するようにしたことを特徴とする映像提供システム。
【請求項８】
請求項７に記載の映像提供システムにおいて、
上記制御手段は、上記時刻情報を含めた視聴情報の該時刻情報に対応する上記放送時刻情報に対応付けられた映像データを含む所定時間範囲の上記映像データを上記記録媒体から読み出すようにしたことを特徴とする映像提供システム。
【請求項９】
請求項６に記載の映像提供システムにおいて、
上記送信手段は、上記検出手段による検出結果に基づき、上記受信手段で上記テレビジョン放送が正常に受信されていないと判断された後に、上記受信手段で上記テレビジョン放送が正常に受信されていると判断されたら、受信状態が復帰した旨の情報を上記映像提供装置に向けて送信することを特徴とする映像提供システム。
【請求項１０】
請求項９に記載の映像提供システムにおいて、
上記制御手段は、上記視聴情報に応じた時刻より所定時間前から、上記受信状態が復帰した旨の情報に応じた時刻あるいは上記視聴情報に応じた時刻より所定時間前から所定のタイムアウト時間を経過した時刻のうち、何れか早い時刻までの上記映像データを上記記録媒体から読み出すようにしたことを特徴とする映像提供システム。
【請求項１１】
請求項１に記載の映像提供システムにおいて、
上記記録手段は、上記記録媒体に記録された、現在の時刻から所定時間前以前に上記第２の受信手段で受信された上記テレビジョン放送による上記映像データを消去しながら上記映像データの記録を行うようにしたことを特徴とする映像提供システム。
【請求項１２】
請求項１に記載の映像提供システムにおいて、
上記記録手段は、上記通信網で送信するのに適したデータレートになるように上記映像データを圧縮符号化して上記記録媒体に記録するようにしたことを特徴とする映像提供システム。
【請求項１３】
請求項１に記載の映像提供システムにおいて、
上記制御手段は、上記所定範囲にコマーシャル放送が含まれているときは、該コマーシャル放送の全長を該所定範囲にさらに含めるようにしたことを特徴とする映像提供システム。
【請求項１４】
請求項１に記載の映像提供システムにおいて、
上記制御手段は、上記視聴情報に応じて上記記録媒体から読み出した上記映像データに対してコマーシャル映像またはコマーシャル画像を付加して上記端末装置に送信するようにしたことを特徴とする映像提供システム。
【請求項１５】
請求項１４に記載の映像提供システムにおいて、
上記コマーシャル映像または上記コマーシャル画像は、上記所定範囲の映像データの時間的に先頭側に付加されることを特徴とする映像提供システム。
【請求項１６】
請求項１４に記載の映像提供システムにおいて、
上記コマーシャル映像または上記コマーシャル画像は、上記映像データによる画面の一部に付加されることを特徴とする映像提供システム。
【請求項１７】
端末装置側でテレビジョン放送を受信する第１の受信のステップと、
上記端末装置側から通信網を介して通信を行う第１の通信のステップと、
少なくとも、個体を識別する識別情報と上記テレビジョン放送受信手段で受信中の上記テレビジョン放送の放送局情報とからなる視聴情報を、所定のタイミングで上記第１の通信手段により上記端末装置から送信する送信のステップと、
映像提供装置側でテレビジョン放送を受信する第２の受信のステップと、
上記第２の受信のステップで受信されたテレビジョン放送による映像データを、放送された時刻を示す放送時刻情報と対応付けて継続的に記録媒体に記録する記録のステップと、
映像提供装置側で上記通信網を介して通信を行う第２の通信のステップと、
上記第１の通信のステップで上記端末装置から送信され上記第２の通信のステップで上記映像提供装置により受信された上記視聴情報に応じて、上記記録媒体から上記放送時刻情報により所定範囲を指定して上記映像データを読み出し、読み出された上記映像データを上記第２の通信手段で上記端末装置に向けて送信する制御のステップと
を備えることを特徴とする映像提供方法。
【請求項１８】
テレビジョン放送を受信する受信手段と、
上記受信手段で受信されたテレビジョン放送による映像データを、放送された時刻を示す放送時刻情報と対応付けて継続的に記録媒体に記録する記録手段と、
通信網を介して通信を行う通信手段と、
テレビジョン放送を受信する手段と、上記通信網を介して通信を行う手段と、少なくとも、個体を識別する識別情報と上記テレビジョン放送を受信する手段で受信中の上記テレビジョン放送の放送局情報とからなる視聴情報を、所定のタイミングで上記通信を行う手段により送信する手段とを有する端末装置から送信され上記通信手段で受信された上記視聴情報に応じて、上記記録媒体から上記放送時刻情報により所定範囲を指定して上記映像データを読み出し、読み出された上記映像データを上記通信手段で上記端末装置に向けて送信する制御手段と
を有することを特徴とする映像提供装置。
【請求項１９】
請求項１８に記載の映像提供装置において、
上記制御手段は、上記視聴情報が受信された時刻を示す時刻情報に対応する上記放送時刻情報に対応付けられた映像データを含む所定時間範囲の上記映像データを上記記録媒体から読み出すようにしたことを特徴とする映像提供装置。
【請求項２０】
請求項１８に記載の映像提供装置において、
上記制御手段は、上記視聴情報に時刻情報が含まれている場合、該時刻情報に対応する上記放送時刻情報に対応付けられた映像データを含む所定時間範囲の上記映像データを上記記録媒体から読み出すようにしたことを特徴とする映像提供装置。
【請求項２１】
請求項１８に記載の映像提供装置において、
上記制御手段は、上記視聴情報に応じた時刻より所定時間前から、上記端末装置から送信された受信状態が復帰した旨の情報に応じた時刻あるいは上記視聴情報に応じた時刻より所定時間前から所定のタイムアウト時間を経過した時刻のうち、何れか早い時刻までの上記映像データを上記記録媒体から読み出すようにしたことを特徴とする映像提供装置。
【請求項２２】
請求項１８に記載の映像提供装置において、
上記記録手段は、上記記録媒体に記録された、現在の時刻から所定時間前以前に上記第２の受信手段で受信された上記テレビジョン放送による上記映像データを消去しながら上記映像データの記録を行うようにしたことを特徴とする映像提供装置。
【請求項２３】
請求項１８に記載の映像提供装置において、
上記記録手段は、上記通信網で送信するのに適したデータレートになるように上記映像データを圧縮符号化して上記記録媒体に記録するようにしたことを特徴とする映像提供装置。
【請求項２４】
請求項１８に記載の映像提供装置において、
上記制御手段は、上記所定範囲にコマーシャル放送が含まれているときは、該コマーシャル放送の全長を該所定範囲にさらに含めるようにしたことを特徴とする映像提供装置。
【請求項２５】
請求項１に記載の映像提供装置において、
上記制御手段は、上記視聴情報に応じて上記記録媒体から読み出した上記映像データに対してコマーシャル映像またはコマーシャル画像を付加して上記端末装置に送信するようにしたことを特徴とする映像提供装置。
【請求項２６】
請求項２５に記載の映像提供装置において、
上記コマーシャル映像または上記コマーシャル画像は、上記所定範囲の映像データの時間的に先頭側に付加されることを特徴とする映像提供装置。
【請求項２７】
請求項２５に記載の映像提供装置において、
上記コマーシャル映像または上記コマーシャル画像は、上記映像データによる画面の一部に付加されることを特徴とする映像提供装置。
【請求項２８】
テレビジョン放送を受信する受信のステップと、
上記受信のステップで受信されたテレビジョン放送による映像データを、放送された時刻を示す放送時刻情報と対応付けて継続的に記録媒体に記録する記録のステップと、
通信網を介して通信を行う通信のステップと、
テレビジョン放送を受信するステップと、上記通信網を介して通信を行うステップと、少なくとも、個体を識別する識別情報と上記テレビジョン放送を受信する手段で受信中の上記テレビジョン放送の放送局情報とからなる視聴情報を、所定のタイミングで上記通信を行うステップにより送信するステップとを有する端末装置から送信され上記通信のステップで受信された上記視聴情報に応じて、上記記録媒体から上記放送時刻情報により所定範囲を指定して上記映像データを読み出し、読み出された上記映像データを上記通信のステップで上記端末装置に向けて送信する制御のステップと
を有することを特徴とする映像提供方法。
【請求項２９】
テレビジョン放送を受信する受信手段と、
通信網を介して通信を行う通信手段と、
少なくとも、個体を識別する識別情報と上記受信手段で受信中の上記テレビジョン放送の放送局情報とからなる視聴情報を、所定のタイミングで上記通信手段により送信する送信手段と
を有し、
テレビジョン放送による映像データを、放送された時刻を示す放送時刻情報と対応付けて継続的に記録された記録媒体から、上記視聴情報に応じて上記放送時刻情報により所定範囲を指定して上記映像データを読み出し、読み出された上記映像データを上記通信網を介して上記端末装置に向けて送信するようにした映像提供装置に向けて、上記送信手段により上記視聴情報を送信し、該視聴情報に応じて上記映像提供装置から送信された上記映像データを上記通信手段で受信するようにしたことを特徴とする端末装置。
【請求項３０】
請求項２９に記載の端末装置において、
視聴者の操作を受け付ける操作手段をさらに有し、
上記操作手段に対する上記操作に応じたタイミングで上記視聴情報を送信することを特徴とする端末装置。
【請求項３１】
）
請求項２９に記載の端末装置において、
上記送信手段は、上記通信手段による上記視聴情報の送信に所定時間以上を要すると判断した場合に、上記操作手段に対する操作が行われた時刻を示す時刻情報を、上記視聴情報にさらに含め、上記第１の通信手段による通信が正常状態に復帰したら、該時刻情報を含めた該視聴情報を送信するようにしたことを特徴とする端末装置。
【請求項３２】
請求項２９に記載の端末装置において、
上記受信手段による上記テレビジョン放送の受信状態を検出する検出手段をさらに有し、
上記送信手段は、上記検出手段による検出結果に基づき、上記受信手段で上記テレビジョン放送が正常に受信されていないと判断されたタイミングで、上記視聴情報を自動的に送信することを特徴とする端末装置。
【請求項３３】
請求項３２に記載の端末装置において、
上記送信手段は、上記第１の通信手段による上記視聴情報の送信に所定時間以上を要すると判断した場合に、上記検出手段により上記判断がなされた時刻を示す時刻情報を、上記視聴情報にさらに含め、上記第１の通信手段による通信が正常状態に復帰したら、該時刻情報を含めた該視聴情報を送信するようにしたことを特徴とする端末装置。
【請求項３４】
請求項３２に記載の端末装置において、
上記送信手段は、上記検出手段による検出結果に基づき、上記受信手段で上記テレビジョン放送が正常に受信されていないと判断された後に、上記受信手段で上記テレビジョン放送が正常に受信されていると判断されたら、受信状態が復帰した旨の情報を上記映像提供装置に向けて送信することを特徴とする端末装置。
【請求項３５】
テレビジョン放送を受信する受信のステップと、
通信網を介して通信を行う通信のステップと、
少なくとも、個体を識別する識別情報と上記受信のステップで受信中の上記テレビジョン放送の放送局情報とからなる視聴情報を、所定のタイミングで上記通信手段により送信する送信のステップと
を有し、
テレビジョン放送による映像データを、放送された時刻を示す放送時刻情報と対応付けて継続的に記録された記録媒体から、上記視聴情報に応じて上記放送時刻情報により所定範囲を指定して上記映像データを読み出し、読み出された上記映像データを上記通信網を介して上記端末装置に向けて送信するようにした映像提供装置に向けて、上記送信のステップにより上記視聴情報を送信し、該視聴情報に応じて上記映像提供装置から送信された上記映像データを上記通信のステップで受信するようにしたことを特徴とする映像要求方法。
【請求項３６】
テレビジョン放送を受信する第１の受信手段と、通信網を介して通信を行う第１の通信手段と、少なくとも、個体を識別する識別情報と上記第１の受信手段で受信中の上記テレビジョン放送の放送局情報とからなる視聴情報を、所定のタイミングで上記第１の通信手段により送信する送信手段とを有する端末装置と、
テレビジョン放送を受信する第２の受信手段と、上記第２の受信手段で受信されたテレビジョン放送による映像データを、放送された時刻を示す放送時刻情報と対応付けて継続的に記録媒体に記録する記録手段と、上記通信網を介して通信を行う第２の通信手段と、上記端末装置から送信され上記第２の通信手段で受信された上記視聴情報に応じて、上記記録媒体から上記放送時刻情報により所定範囲を指定して上記映像データを読み出し、読み出された上記映像データを上記第２の通信手段で上記端末装置に向けて送信する制御手段とを有する映像提供装置と
を備え、
上記映像提供装置の運用部は、上記端末装置に対して課金し、課金された該端末装置から上記映像提供装置に対して送信された上記視聴情報に応じて上記映像提供装置から上記映像データを該端末装置に送信可能とし、
上記映像提供装置の運用部は、上記テレビジョン放送を放送する放映権所有部に対して上記テレビジョン放送による映像データの利用許諾料を支払うようにしたことを特徴とする映像供給システム。
【請求項３７】
テレビジョン放送を受信する第１の受信手段と、通信網を介して通信を行う第１の通信手段と、少なくとも、個体を識別する識別情報と上記第１の受信手段で受信中の上記テレビジョン放送の放送局情報とからなる視聴情報を、所定のタイミングで上記第１の通信手段により送信する送信手段とを有する端末装置と、
テレビジョン放送を受信する第２の受信手段と、上記第２の受信手段で受信されたテレビジョン放送による映像データを、放送された時刻を示す放送時刻情報と対応付けて継続的に記録媒体に記録する記録手段と、上記通信網を介して通信を行う第２の通信手段と、上記端末装置から送信され上記第２の通信手段で受信された上記視聴情報に応じて、上記記録媒体から上記放送時刻情報により所定範囲を指定して上記映像データを読み出し、読み出された上記映像データを上記第２の通信手段で上記端末装置に向けて送信する制御手段とを有する映像提供装置と
を備え、
上記映像提供装置の運用部は、上記テレビジョン放送を放送する放映権所有部に対して課金して、上記放映権所有部が主体的に上記映像提供装置を利用することを可能とし、
上記放映権所有部は、上記端末装置に対して課金し、課金された該端末装置から上記映像提供装置に対して送信された上記視聴情報に応じて上記映像提供装置から上記映像データを該端末装置に送信可能としたことを特徴とする映像供給システム。
【請求項３８】
テレビジョン放送を受信する第１の受信手段と、通信網を介して通信を行う第１の通信手段と、少なくとも、個体を識別する識別情報と上記第１の受信手段で受信中の上記テレビジョン放送の放送局情報とからなる視聴情報を、所定のタイミングで上記第１の通信手段により送信する送信手段とを有する端末装置と、
テレビジョン放送を受信する第２の受信手段と、上記第２の受信手段で受信されたテレビジョン放送による映像データを、放送された時刻を示す放送時刻情報と対応付けて継続的に記録媒体に記録する記録手段と、上記通信網を介して通信を行う第２の通信手段と、上記端末装置から送信され上記第２の通信手段で受信された上記視聴情報に応じて、上記記録媒体から上記放送時刻情報により所定範囲を指定して上記映像データを読み出し、読み出された上記映像データを上記第２の通信手段で上記端末装置に向けて送信する制御手段とを有する映像提供装置と
を備え、
上記テレビジョン放送を放送する放映権所有部は、上記映像提供装置を運用すると共に、上記端末装置に対して課金し、課金された該端末装置から上記映像提供装置に対して送信された上記視聴情報に応じて上記映像提供装置から上記映像データを該端末装置に送信可能としたことを特徴とする映像供給システム。
【請求項３９】
テレビジョン放送を受信する第１の受信手段と、通信網を介して通信を行う第１の通信手段と、少なくとも、個体を識別する識別情報と上記第１の受信手段で受信中の上記テレビジョン放送の放送局情報とからなる視聴情報を、所定のタイミングで上記第１の通信手段により送信する送信手段とを有する端末装置と、
テレビジョン放送を受信する第２の受信手段と、上記第２の受信手段で受信されたテレビジョン放送による映像データを、放送された時刻を示す放送時刻情報と対応付けて継続的に記録媒体に記録する記録手段と、上記通信網を介して通信を行う第２の通信手段と、上記端末装置から送信され上記第２の通信手段で受信された上記視聴情報に応じて、上記記録媒体から上記放送時刻情報により所定範囲を指定して上記映像データを読み出し、読み出された上記映像データに対してコマーシャル映像またはコマーシャル画像を付加して上記第２の通信手段で上記端末装置に向けて送信する制御手段とを有する映像提供装置と
を備え、
上記映像提供装置の運用部は、上記テレビジョン放送を放送する放映権所有部から上記コマーシャル映像または上記コマーシャル画像の提供部から該放映権所有部に対して支払われる広告媒体料の一部を支払われることにより、上記映像データに対して上記コマーシャル映像またはコマーシャル画像を付加して、上記映像提供装置から上記端末装置に送信し、
上記端末装置は、上記映像提供装置の運用部または上記放映権所有部から課金されること無しに、該端末装置から上記映像提供装置に対して送信した上記視聴情報に応じた上記映像データを、上記映像提供装置から送信されることを特徴とする映像提供システム。
【請求項４０】
テレビジョン放送を受信する第１の受信手段と、通信網を介して通信を行う第１の通信手段と、少なくとも、個体を識別する識別情報と上記第１の受信手段で受信中の上記テレビジョン放送の放送局情報とからなる視聴情報を、所定のタイミングで上記第１の通信手段により送信する送信手段とを有する端末装置と、
テレビジョン放送を受信する第２の受信手段と、上記第２の受信手段で受信されたテレビジョン放送による映像データを、放送された時刻を示す放送時刻情報と対応付けて継続的に記録媒体に記録する記録手段と、上記通信網を介して通信を行う第２の通信手段と、上記端末装置から送信され上記第２の通信手段で受信された上記視聴情報に応じて、上記記録媒体から上記放送時刻情報により所定範囲を指定して上記映像データを読み出し、読み出された上記映像データに対してコマーシャル映像またはコマーシャル画像を付加して上記第２の通信手段で上記端末装置に向けて送信する制御手段とを有する映像提供装置と
を備え、
上記映像提供装置の運用部は、上記テレビジョン放送を放送する放映権所有部に対して課金して、上記放映権所有部が主体的に上記映像提供装置を利用することを可能とし、
上記放映権所有部は、上記コマーシャル映像または上記コマーシャル画像の提供部から広告媒体料を支払われ、
上記端末装置は、上記映像提供装置の運用部または上記放映権所有部から課金されること無しに、該端末装置から上記映像提供装置に対して送信した上記視聴情報に応じた上記映像データを、上記映像提供装置から送信されることを特徴とする映像提供システム。
【請求項４１】
テレビジョン放送を受信する第１の受信手段と、通信網を介して通信を行う第１の通信手段と、少なくとも、個体を識別する識別情報と上記第１の受信手段で受信中の上記テレビジョン放送の放送局情報とからなる視聴情報を、所定のタイミングで上記第１の通信手段により送信する送信手段とを有する端末装置と、
テレビジョン放送を受信する第２の受信手段と、上記第２の受信手段で受信されたテレビジョン放送による映像データを、放送された時刻を示す放送時刻情報と対応付けて継続的に記録媒体に記録する記録手段と、上記通信網を介して通信を行う第２の通信手段と、上記端末装置から送信され上記第２の通信手段で受信された上記視聴情報に応じて、上記記録媒体から上記放送時刻情報により所定範囲を指定して上記映像データを読み出し、読み出された上記映像データに対してコマーシャル映像またはコマーシャル画像を付加して上記第２の通信手段で上記端末装置に向けて送信する制御手段とを有する映像提供装置と
を備え、
上記テレビジョン放送を放送する放映権所有部は、上記映像提供装置を運用すると共に、上記コマーシャル映像または上記コマーシャル画像の提供部から広告媒体料を支払われ、
上記端末装置は、上記放映権所有部から課金されること無しに、該端末装置から上記映像提供装置に対して送信した上記視聴情報に応じた上記映像データを、上記映像提供装置から送信されることを特徴とする映像提供システム。
【発明の詳細な説明】
【技術分野】
【０００１】
この発明は、テレビジョン放送を受信中に受信状態の悪化などによる映像障害で一時的に視聴できなくなった部分を、視聴者の容易な操作で見ることができるようにした映像提供システム、映像提供装置および方法、ならびに、端末装置および映像要求方法に関する。
【背景技術】
【０００２】
近年では、通信技術の発達や携帯電話装置などの携帯端末装置の高機能化によって、携帯端末装置を用いてインターネットなどの通信ネットワークに接続できるようになったばかりか、非特許文献１に記載されるように、テレビジョンチューナを内蔵し、地上ディジタル放送などのテレビジョン放送を受信可能な携帯端末装置も開発が進んでいる。以下、インターネットに接続可能で、且つ、テレビジョン放送の受信が可能とされた携帯端末装置を、ＴＶ付き携帯端末装置と呼ぶ。ＴＶ付き携帯端末装置は、製品化後は、急速に普及することが期待されている。
【非特許文献１】蓬田  宏樹、田中  正晴、「デジタル・テレビ手のひらに載る」、日経エレクトロニクス、日経ＢＰ社、平成１５年８月１８日、ｐ８９−１１２
【発明の開示】
【発明が解決しようとする課題】
【０００３】
例えば徒歩や電車、自動車などで移動中に、このようなＴＶ付き携帯端末装置を用いてテレビジョン放送が視聴されることが予想される。この場合、受信可能なテレビジョン放送がアナログテレビジョン放送か、ディジタルテレビジョン放送かに関わらず、視聴者が建造物の陰に入ったり、受信している電波の他の電波との干渉などにより、視聴中の映像や音声が一時的に乱れたり、途切れたりして、その期間の映像を視聴者が見逃してしまう可能性があるという問題点があった。その場合、ユーザが非常な不快感を感じてしまう。
【０００４】
例えば以下のようなシーンを視聴中に映像が途切れると、視聴者の不快感が特に大きいと思われる。
（１）スポーツの得点シーン
（２）クイズ番組の回答シーン
（３）トーク番組などで出演者や観客が爆笑したり拍手したりするシーン
（４）料理番組でレシピが画面上に表示されるシーン
（５）バーゲン情報などの日時や場所が表示されるシーン
（６）音楽番組などで、好きなアーティストの演奏中のシーン
（７）その他、番組のクライマックスや盛り上がっているシーン、自分がその番組を見ている目的のシーン
【０００５】
一方、テレビジョン放送番組を提供する多くの放送局では、放送中のコマーシャルを視聴者に見てもらうことを前提に、広告主から広告媒体料を得てビジネスが成立している。そのため、放送局側の立場としては、上述の、映像や音声が途切れたり乱れたりしている期間にコマーシャルが放送されている場合を想定すると、広告媒体としての価値が低下してしまうという問題点があった。
【０００６】
ここで、見逃したシーンを当該番組の放送後に見返す方法として、ＴＶ付き携帯端末装置に録画機能を備え、当該番組を録画しておく方法が考えられる。しかしながら、この方法では、番組情報などに基づいて当該番組を予め録画予約しておく必要があるという問題点があった。
【０００７】
また、ＴＶ付き携帯端末装置が録画機能を有していない場合には、別途、自宅などにおいて、ネットワーク接続型の録画再生機といった、特別な機器を用意する必要があるという問題点があった。
【０００８】
さらに、この方法では、ＴＶ付き携帯端末装置を用いて、移動中にテレビジョン放送を視聴中に、どこで映像や音声が途切れるかを予め予測することが極めて難しく、予め録画予約をしておくこと自体が困難であるという問題点があった。
【０００９】
したがって、この発明の目的は、ＴＶ付き携帯端末装置によりテレビジョン放送番組を視聴中に、受信状態の悪化などにより映像や音声が途切れたり乱れたりしても、映像や音声が途切れたり乱れたりしている期間の放送内容を、ＴＶ付き携帯端末装置に対する容易な操作で見ることができるようにした映像提供システム、映像提供装置および方法、ならびに、端末装置および映像要求方法を提供することにある。
【課題を解決するための手段】
【００１０】
上述した課題を解決するために、請求項１に記載の発明は、テレビジョン放送を受信する第１の受信手段と、通信網を介して通信を行う第１の通信手段と、少なくとも、個体を識別する識別情報と第１の受信手段で受信中のテレビジョン放送の放送局情報とからなる視聴情報を、所定のタイミングで第１の通信手段により送信する送信手段とを有する端末装置と、テレビジョン放送を受信する第２の受信手段と、第２の受信手段で受信されたテレビジョン放送による映像データを、放送された時刻を示す放送時刻情報と対応付けて継続的に記録媒体に記録する記録手段と、通信網を介して通信を行う第２の通信手段と、端末装置から送信され第２の通信手段で受信された視聴情報に応じて、記録媒体から放送時刻情報により所定範囲を指定して映像データを読み出し、読み出された映像データを第２の通信手段で端末装置に向けて送信する制御手段とを有する映像提供装置とを備えることを特徴とする映像提供システムであるである。
【００１１】
また、請求項１７に記載の発明は、端末装置側でテレビジョン放送を受信する第１の受信のステップと、端末装置側から通信網を介して通信を行う第１の通信のステップと、少なくとも、個体を識別する識別情報とテレビジョン放送受信手段で受信中のテレビジョン放送の放送局情報とからなる視聴情報を、所定のタイミングで第１の通信手段により端末装置から送信する送信のステップと、映像提供装置側でテレビジョン放送を受信する第２の受信のステップと、第２の受信のステップで受信されたテレビジョン放送による映像データを、放送された時刻を示す放送時刻情報と対応付けて継続的に記録媒体に記録する記録のステップと、映像提供装置側で通信網を介して通信を行う第２の通信のステップと、第１の通信のステップで端末装置から送信され第２の通信のステップで映像提供装置により受信された視聴情報に応じて、記録媒体から放送時刻情報により所定範囲を指定して映像データを読み出し、読み出された映像データを第２の通信手段で端末装置に向けて送信する制御のステップとを備えることを特徴とする映像提供方法であるである。
【００１２】
また、請求項１８に記載の発明は、テレビジョン放送を受信する受信手段と、受信手段で受信されたテレビジョン放送による映像データを、放送された時刻を示す放送時刻情報と対応付けて継続的に記録媒体に記録する記録手段と、通信網を介して通信を行う通信手段と、テレビジョン放送を受信する手段と、通信網を介して通信を行う手段と、少なくとも、個体を識別する識別情報とテレビジョン放送を受信する手段で受信中のテレビジョン放送の放送局情報とからなる視聴情報を、所定のタイミングで通信を行う手段により送信する手段とを有する端末装置から送信され通信手段で受信された視聴情報に応じて、記録媒体から放送時刻情報により所定範囲を指定して映像データを読み出し、読み出された映像データを通信手段で端末装置に向けて送信する制御手段とを有することを特徴とする映像提供装置である。
【００１３】
また、請求項２８に記載の発明は、テレビジョン放送を受信する受信のステップと、受信のステップで受信されたテレビジョン放送による映像データを、放送された時刻を示す放送時刻情報と対応付けて継続的に記録媒体に記録する記録のステップと、通信網を介して通信を行う通信のステップと、テレビジョン放送を受信するステップと、通信網を介して通信を行うステップと、少なくとも、個体を識別する識別情報とテレビジョン放送を受信する手段で受信中のテレビジョン放送の放送局情報とからなる視聴情報を、所定のタイミングで通信を行うステップにより送信するステップとを有する端末装置から送信され通信のステップで受信された視聴情報に応じて、記録媒体から放送時刻情報により所定範囲を指定して映像データを読み出し、読み出された映像データを通信のステップで端末装置に向けて送信する制御のステップとを有することを特徴とする映像提供方法である。
【００１４】
また、請求項２９に記載の発明は、テレビジョン放送を受信する受信手段と、通信網を介して通信を行う通信手段と、少なくとも、個体を識別する識別情報と受信手段で受信中のテレビジョン放送の放送局情報とからなる視聴情報を、所定のタイミングで通信手段により送信する送信手段とを有し、テレビジョン放送による映像データを、放送された時刻を示す放送時刻情報と対応付けて継続的に記録された記録媒体から、視聴情報に応じて放送時刻情報により所定範囲を指定して映像データを読み出し、読み出された映像データを通信網を介して端末装置に向けて送信するようにした映像提供装置に向けて、送信手段により視聴情報を送信し、視聴情報に応じて映像提供装置から送信された映像データを通信手段で受信するようにしたことを特徴とする端末装置である。
【００１５】
また、請求項３５に記載の発明は、テレビジョン放送を受信する受信のステップと、通信網を介して通信を行う通信のステップと、少なくとも、個体を識別する識別情報と受信のステップで受信中のテレビジョン放送の放送局情報とからなる視聴情報を、所定のタイミングで通信手段により送信する送信のステップとを有し、テレビジョン放送による映像データを、放送された時刻を示す放送時刻情報と対応付けて継続的に記録された記録媒体から、視聴情報に応じて放送時刻情報により所定範囲を指定して映像データを読み出し、読み出された映像データを通信網を介して端末装置に向けて送信するようにした映像提供装置に向けて、送信のステップにより視聴情報を送信し、視聴情報に応じて映像提供装置から送信された映像データを通信のステップで受信するようにしたことを特徴とする映像要求方法である。
【００１６】
また、請求項３６に記載の発明は、テレビジョン放送を受信する第１の受信手段と、通信網を介して通信を行う第１の通信手段と、少なくとも、個体を識別する識別情報と第１の受信手段で受信中のテレビジョン放送の放送局情報とからなる視聴情報を、所定のタイミングで第１の通信手段により送信する送信手段とを有する端末装置と、テレビジョン放送を受信する第２の受信手段と、第２の受信手段で受信されたテレビジョン放送による映像データを、放送された時刻を示す放送時刻情報と対応付けて継続的に記録媒体に記録する記録手段と、通信網を介して通信を行う第２の通信手段と、端末装置から送信され第２の通信手段で受信された視聴情報に応じて、記録媒体から放送時刻情報により所定範囲を指定して映像データを読み出し、読み出された映像データを第２の通信手段で端末装置に向けて送信する制御手段とを有する映像提供装置とを備え、映像提供装置の運用部は、端末装置に対して課金し、課金された端末装置から映像提供装置に対して送信された視聴情報に応じて映像提供装置から映像データを端末装置に送信可能とし、映像提供装置の運用部は、テレビジョン放送を放送する放映権所有部に対してテレビジョン放送による映像データの利用許諾料を支払うようにしたことを特徴とする映像供給システムである。
【００１７】
また、請求項３７に記載の発明は、テレビジョン放送を受信する第１の受信手段と、通信網を介して通信を行う第１の通信手段と、少なくとも、個体を識別する識別情報と第１の受信手段で受信中のテレビジョン放送の放送局情報とからなる視聴情報を、所定のタイミングで第１の通信手段により送信する送信手段とを有する端末装置と、テレビジョン放送を受信する第２の受信手段と、第２の受信手段で受信されたテレビジョン放送による映像データを、放送された時刻を示す放送時刻情報と対応付けて継続的に記録媒体に記録する記録手段と、通信網を介して通信を行う第２の通信手段と、端末装置から送信され第２の通信手段で受信された視聴情報に応じて、記録媒体から放送時刻情報により所定範囲を指定して映像データを読み出し、読み出された映像データを第２の通信手段で端末装置に向けて送信する制御手段とを有する映像提供装置とを備え、映像提供装置の運用部は、テレビジョン放送を放送する放映権所有部に対して課金して、放映権所有部が主体的に映像提供装置を利用することを可能とし、放映権所有部は、端末装置に対して課金し、課金された端末装置から映像提供装置に対して送信された視聴情報に応じて映像提供装置から映像データを端末装置に送信可能としたことを特徴とする映像供給システムである。
【００１８】
また、請求項３８に記載の発明は、テレビジョン放送を受信する第１の受信手段と、通信網を介して通信を行う第１の通信手段と、少なくとも、個体を識別する識別情報と第１の受信手段で受信中のテレビジョン放送の放送局情報とからなる視聴情報を、所定のタイミングで第１の通信手段により送信する送信手段とを有する端末装置と、テレビジョン放送を受信する第２の受信手段と、第２の受信手段で受信されたテレビジョン放送による映像データを、放送された時刻を示す放送時刻情報と対応付けて継続的に記録媒体に記録する記録手段と、通信網を介して通信を行う第２の通信手段と、端末装置から送信され第２の通信手段で受信された視聴情報に応じて、記録媒体から放送時刻情報により所定範囲を指定して映像データを読み出し、読み出された映像データを第２の通信手段で端末装置に向けて送信する制御手段とを有する映像提供装置とを備え、テレビジョン放送を放送する放映権所有部は、映像提供装置を運用すると共に、端末装置に対して課金し、課金された端末装置から映像提供装置に対して送信された視聴情報に応じて映像提供装置から映像データを端末装置に送信可能としたことを特徴とする映像供給システムである。
【００１９】
また、請求項３９に記載の発明は、テレビジョン放送を受信する第１の受信手段と、通信網を介して通信を行う第１の通信手段と、少なくとも、個体を識別する識別情報と第１の受信手段で受信中のテレビジョン放送の放送局情報とからなる視聴情報を、所定のタイミングで第１の通信手段により送信する送信手段とを有する端末装置と、テレビジョン放送を受信する第２の受信手段と、第２の受信手段で受信されたテレビジョン放送による映像データを、放送された時刻を示す放送時刻情報と対応付けて継続的に記録媒体に記録する記録手段と、通信網を介して通信を行う第２の通信手段と、端末装置から送信され第２の通信手段で受信された視聴情報に応じて、記録媒体から放送時刻情報により所定範囲を指定して映像データを読み出し、読み出された映像データに対してコマーシャル映像またはコマーシャル画像を付加して第２の通信手段で端末装置に向けて送信する制御手段とを有する映像提供装置とを備え、映像提供装置の運用部は、テレビジョン放送を放送する放映権所有部からコマーシャル映像またはコマーシャル画像の提供部から放映権所有部に対して支払われる広告媒体料の一部を支払われることにより、映像データに対してコマーシャル映像またはコマーシャル画像を付加して、映像提供装置から端末装置に送信し、端末装置は、映像提供装置の運用部または放映権所有部から課金されること無しに、端末装置から映像提供装置に対して送信した視聴情報に応じた映像データを、映像提供装置から送信されることを特徴とする映像提供システムである。
【００２０】
また、請求項４０に記載の発明は、テレビジョン放送を受信する第１の受信手段と、通信網を介して通信を行う第１の通信手段と、少なくとも、個体を識別する識別情報と第１の受信手段で受信中のテレビジョン放送の放送局情報とからなる視聴情報を、所定のタイミングで第１の通信手段により送信する送信手段とを有する端末装置と、テレビジョン放送を受信する第２の受信手段と、第２の受信手段で受信されたテレビジョン放送による映像データを、放送された時刻を示す放送時刻情報と対応付けて継続的に記録媒体に記録する記録手段と、通信網を介して通信を行う第２の通信手段と、端末装置から送信され第２の通信手段で受信された視聴情報に応じて、記録媒体から放送時刻情報により所定範囲を指定して映像データを読み出し、読み出された映像データに対してコマーシャル映像またはコマーシャル画像を付加して第２の通信手段で端末装置に向けて送信する制御手段とを有する映像提供装置とを備え、映像提供装置の運用部は、テレビジョン放送を放送する放映権所有部に対して課金して、放映権所有部が主体的に映像提供装置を利用することを可能とし、放映権所有部は、コマーシャル映像またはコマーシャル画像の提供部から広告媒体料を支払われ、端末装置は、映像提供装置の運用部または放映権所有部から課金されること無しに、端末装置から映像提供装置に対して送信した視聴情報に応じた映像データを、映像提供装置から送信されることを特徴とする映像提供システムである。
【００２１】
また、請求項４１に記載の発明は、テレビジョン放送を受信する第１の受信手段と、通信網を介して通信を行う第１の通信手段と、少なくとも、個体を識別する識別情報と第１の受信手段で受信中のテレビジョン放送の放送局情報とからなる視聴情報を、所定のタイミングで第１の通信手段により送信する送信手段とを有する端末装置と、テレビジョン放送を受信する第２の受信手段と、第２の受信手段で受信されたテレビジョン放送による映像データを、放送された時刻を示す放送時刻情報と対応付けて継続的に記録媒体に記録する記録手段と、通信網を介して通信を行う第２の通信手段と、端末装置から送信され第２の通信手段で受信された視聴情報に応じて、記録媒体から放送時刻情報により所定範囲を指定して映像データを読み出し、読み出された映像データに対してコマーシャル映像またはコマーシャル画像を付加して第２の通信手段で端末装置に向けて送信する制御手段とを有する映像提供装置とを備え、テレビジョン放送を放送する放映権所有部は、映像提供装置を運用すると共に、コマーシャル映像またはコマーシャル画像の提供部から広告媒体料を支払われ、端末装置は、放映権所有部から課金されること無しに、端末装置から映像提供装置に対して送信した視聴情報に応じた映像データを、映像提供装置から送信されることを特徴とする映像提供システムである。
【００２２】
上述したように、請求項１および１７に記載の発明は、端末装置は、少なくとも、個体を識別する識別情報と受信中のテレビジョン放送の放送局情報とからなる視聴情報を、所定のタイミングで通信網を介して送信するようにされ、映像提供装置は、受信されたテレビジョン放送による映像データを、放送された時刻を示す放送時刻情報と対応付けて継続的に記録媒体に記録し、端末装置から通信網を介して送信された視聴情報に応じて、記録媒体から放送時刻情報により所定範囲を指定して映像データを読み出し、読み出された映像データを通信網を介して端末装置に向けて送信するようにしているため、視聴者は、例えば端末装置により受信中のテレビジョン放送の映像が途切れたり乱れたりしたときに、端末装置から映像提供装置に対して視聴情報を送信することで、映像が途切れたり乱れたりした期間に放送されたテレビジョン放送を視聴することができる。
【００２３】
また、請求項１８および２８に記載の発明は、受信されたテレビジョン放送による映像データを、放送された時刻を示す放送時刻情報と対応付けて継続的に記録媒体に記録し、端末装置から所定のタイミングで送信された、少なくとも、個体を識別する識別情報と受信中のテレビジョン放送の放送局情報とからなる視聴情報を受信し、受信された視聴情報に応じて記録媒体から放送時刻情報により所定範囲を指定して映像データを読み出し、読み出された映像データを通信網を介して端末装置に向けて送信するようにしているため、視聴者が例えば端末装置により受信中のテレビジョン放送の映像が途切れたり乱れたりしたときに端末装置から送信した視聴情報を受信すると、受信された視聴情報に応じて記録媒体から放送時刻情報により所定範囲を指定して読み出した映像データを通信網を介して端末装置に送信し、視聴者がこの映像データを端末装置で受信すると、映像が途切れたり乱れたりした期間に放送されたテレビジョン放送を視聴することができる。
【００２４】
また、請求項２９および３５に記載の発明は、少なくとも、個体を識別する識別情報と受信手段で受信中のテレビジョン放送の放送局情報とからなる視聴情報を、テレビジョン放送による映像データを、放送された時刻を示す放送時刻情報と対応付けて継続的に記録された記録媒体から、視聴情報に応じて放送時刻情報により所定範囲を指定して映像データを読み出し、読み出された映像データを通信網を介して端末装置に向けて送信するようにした映像提供装置に向けて、所定のタイミングで通信網を介して送信するようにされ、視聴情報に応じて映像提供装置から送信された映像データを通信網を介して受信するようにしているため、視聴者は、例えば受信中のテレビジョン放送の映像が途切れたり乱れたりしたときに、映像提供装置に対して視聴情報を送信することで、映像が途切れたり乱れたりした期間に放送されたテレビジョン放送を視聴することができる。
【００２５】
また、請求項３６に記載の発明は、受信されたテレビジョン放送による映像データを、放送された時刻を示す放送時刻情報と対応付けて継続的に記録媒体に記録し、端末装置から送信され通信網を介して受信された視聴情報に応じて、記録媒体から放送時刻情報により所定範囲を指定して映像データを読み出し、読み出された映像データを通信網を介して、少なくとも、個体を識別する識別情報と第１の受信手段で受信中のテレビジョン放送の放送局情報とからなる視聴情報を、所定のタイミングで通信網を介して送信する端末装置に向けて送信するようにした映像提供装置の運用部は、端末装置に対して課金し、課金された端末装置から映像提供装置に対して送信された視聴情報に応じて映像提供装置から映像データを端末装置に送信可能とし、映像提供装置の運用部は、テレビジョン放送を放送する放映権所有部に対してテレビジョン放送による映像データの利用許諾料を支払うようにしているため、映像提供装置の運用部は、課金した端末装置の数に応じた収益を得ることができる。
【００２６】
また、請求項３７に記載の発明は、受信されたテレビジョン放送による映像データを、放送された時刻を示す放送時刻情報と対応付けて継続的に記録媒体に記録し、端末装置から送信され通信網を介して受信された視聴情報に応じて、記録媒体から放送時刻情報により所定範囲を指定して映像データを読み出し、読み出された映像データを通信網を介して、少なくとも、個体を識別する識別情報と第１の受信手段で受信中のテレビジョン放送の放送局情報とからなる視聴情報を、所定のタイミングで通信網を介して送信する端末装置に向けて送信するようにした映像提供装置の運用部は、テレビジョン放送を放送する放映権所有部に対して課金して、放映権所有部が主体的に映像提供装置を利用することを可能とし、放映権所有部は、端末装置に対して課金し、課金された端末装置から映像提供装置に対して送信された視聴情報に応じて映像提供装置から映像データを端末装置に送信可能としているため、放映権所有部は、課金した端末装置の数に応じた収益を得ることができ、映像提供装置の運用部は、端末装置による映像提供装置の利用に応じた収益を得ることができる。
【００２７】
また、請求項３８に記載の発明は、テレビジョン放送を放送する放映権所有部は、受信されたテレビジョン放送による映像データを、放送された時刻を示す放送時刻情報と対応付けて継続的に記録媒体に記録し、端末装置から送信され通信網を介して受信された視聴情報に応じて、記録媒体から放送時刻情報により所定範囲を指定して映像データを読み出し、読み出された映像データを通信網を介して端末装置に向けて送信するようにした映像提供装置を運用すると共に、少なくとも、個体を識別する識別情報と第１の受信手段で受信中のテレビジョン放送の放送局情報とからなる視聴情報を、所定のタイミングで通信網を介して送信する端末装置に対して課金し、課金された端末装置から映像提供装置に対して送信された視聴情報に応じて映像提供装置から映像データを端末装置に送信可能としているため、放映権所有部は、課金した端末装置の数に応じた収益を得ることができる。
【００２８】
また、請求項３９に記載の発明は、受信されたテレビジョン放送による映像データを、放送された時刻を示す放送時刻情報と対応付けて継続的に記録媒体に記録し、端末装置から送信され通信網を介して受信された視聴情報に応じて、記録媒体から放送時刻情報により所定範囲を指定して映像データを読み出し、読み出された映像データに対してコマーシャル映像またはコマーシャル画像を付加して通信網を介して、少なくとも、個体を識別する識別情報と第１の受信手段で受信中のテレビジョン放送の放送局情報とからなる視聴情報を、所定のタイミングで通信網を介して送信する端末装置に向けて送信するようにした映像提供装置の運用部は、テレビジョン放送を放送する放映権所有部からコマーシャル映像またはコマーシャル画像の提供部から放映権所有部に対して支払われる広告媒体料の一部を支払われることにより、映像データに対してコマーシャル映像またはコマーシャル画像を付加して、映像提供装置から端末装置に送信し、端末装置は、映像提供装置の運用部または放映権所有部から課金されること無しに、端末装置から映像提供装置に対して送信した視聴情報に応じた映像データを、映像提供装置から送信されるようにしているため、映像提供装置の運用部は、端末装置による利用数に応じて、広告媒体料の一部による収益を得ることができる。
【００２９】
また、請求項４０に記載の発明は、受信されたテレビジョン放送による映像データを、放送された時刻を示す放送時刻情報と対応付けて継続的に記録媒体に記録し、端末装置から送信され通信網を介して受信された視聴情報に応じて、記録媒体から放送時刻情報により所定範囲を指定して映像データを読み出し、読み出された映像データに対してコマーシャル映像またはコマーシャル画像を付加して通信網を介して、少なくとも、個体を識別する識別情報と第１の受信手段で受信中のテレビジョン放送の放送局情報とからなる視聴情報を、所定のタイミングで通信網を介して送信する端末装置に向けて送信するようにした映像提供装置の運用部は、テレビジョン放送を放送する放映権所有部に対して課金して、放映権所有部が主体的に映像提供装置を利用することを可能とし、放映権所有部は、コマーシャル映像またはコマーシャル画像の提供部から広告媒体料を支払われ、端末装置は、映像提供装置の運用部または放映権所有部から課金されること無しに、端末装置から映像提供装置に対して送信した視聴情報に応じた映像データを、映像提供装置から送信されるようにしているため、映像提供装置の運用部は、端末装置による映像提供装置の利用数に応じて収益を得ることができる。
【００３０】
また、請求項４１に記載の発明は、テレビジョン放送を放送する放映権所有部は、受信されたテレビジョン放送による映像データを、放送された時刻を示す放送時刻情報と対応付けて継続的に記録媒体に記録し、端末装置から送信され通信網を介して受信された視聴情報に応じて、記録媒体から放送時刻情報により所定範囲を指定して映像データを読み出し、読み出された映像データに対してコマーシャル映像またはコマーシャル画像を付加して通信網を介して、少なくとも、個体を識別する識別情報と第１の受信手段で受信中のテレビジョン放送の放送局情報とからなる視聴情報を、所定のタイミングで通信網を介して送信する端末装置に向けて送信するようにした映像提供装置を運用すると共に、コマーシャル映像またはコマーシャル画像の提供部から広告媒体料を支払われ、端末装置は、放映権所有部から課金されること無しに、端末装置から映像提供装置に対して送信した視聴情報に応じた映像データを、映像提供装置から送信されるようにしているため、放映権所有部は、端末装置による映像提供装置の利用数に応じて広告媒体料による収益を得ることができる。
【発明の効果】
【００３１】
この発明は、情報サーバでは、各放送局で放送されたテレビジョン放送番組を常に記録し、時刻情報に基づき、その時刻情報に対して所定時間前から所定時間後までの映像データを記録媒体から再生し、インターネットを介して送信することができるようになっている。また、ＴＶ付き携帯端末装置でテレビジョン放送電波を受信しテレビジョン放送番組を視聴中に、受信状態の悪化などで受信映像が途切れたり乱れたりした場合に、視聴者の操作または自動検出により、情報サーバに対して、視聴中の放送局情報、当該ＴＶ付き携帯端末装置のＩＤ情報および時刻情報からなる視聴情報を送信するようにしている。
【００３２】
そのため、この発明の実施の一形態によるシステムを利用することで、視聴者は、ＴＶ付き携帯端末装置を用いてテレビジョン放送番組を視聴中に、受信状態の悪化などで受信映像が途切れたり乱れたりしても、ＴＶ付き携帯端末装置に対する簡単な操作だけで、映像の途切れや乱れで見られなかった部分の映像を見ることができるようになるという効果がある。
【発明を実施するための最良の形態】
【００３３】
以下、この発明の実施の一形態を、図面を参照しながら説明する。図１は、この発明の実施の一形態による映像提供システムを説明するための図である。ＴＶ付き携帯端末装置１は、例えば携帯電話端末であって、通常の電話通信機能に加え、テレビジョン放送電波の受信機能と、インターネット２による通信機能を有する。受信可能なテレビジョン放送の方式は、特に限定しないが、ここでは、例えば地上ディジタル放送に対応しているものとする。インターネット２による通信は、例えば所定に配置された基地局（図示しない）を介して行われる。基地局は、このＴＶ付き携帯端末装置１に電話通信機能を提供する通信事業者の設備である。ＴＶ付き携帯端末装置１は、個体の識別が可能なように、端末毎にユニークなＩＤ情報が与えられる。
【００３４】
情報サーバ１１は、ＴＶ付き携帯端末装置１とインターネット２を介して通信が可能とされている。例えば、情報サーバ１１は、インターネット２を介して通信事業者設備と接続され、ＴＶ付き携帯端末装置１との間の通信を、これらインターネット２および通信事業者設備を介して行う。また、情報サーバ１１は、ＴＶ付き携帯端末装置１のＩＤ情報とＴＶ付き携帯端末装置１のインターネット２上のアドレス情報とを対応させたユーザ情報テーブルを持つ。
【００３５】
なお、ＴＶ付き携帯端末装置１のＩＤ情報が当該ＴＶ付き携帯端末装置１のインターネット２上のアドレス情報を含むような場合は、情報サーバ１１における上述のユーザ情報テーブルは、省略することができる。
【００３６】
さらに、情報サーバ１１は、各放送局で放送されたテレビジョン放送番組を受信し、受信されたテレビジョン放送番組の映像および音声を、各放送局毎に、放送時刻と対応付けながらハードディスクなどの記録媒体に記録する。アナログ方式のテレビジョン放送番組は、受信されたテレビジョン放送電波に基づくアナログ映像信号およびアナログ音声信号が、それぞれディジタル映像データおよびディジタル音声データに変換され、圧縮符号化されて記録される。ディジタル方式のテレビジョン放送番組は、受信されたストリームデータをそのままの形式で記録媒体に記録してもよいし、所定の形式に変換し圧縮符号化して記録してもよい。なお、ここでは、テレビジョン放送番組は、コマーシャルや公報などを含む全放送を対象とする。
【００３７】
このような構成において、視聴者は、ＴＶ付き携帯端末装置１を用いてテレビジョン放送電波を受信し、テレビジョン放送番組を視聴する。受信状態の悪化などにより視聴中に映像および／または音声が途切れたり乱れたりして、視聴が中断されると（ステップＳ１）、ユーザは、ＴＶ付き携帯端末装置１に対して、視聴が中断された期間の映像を情報サーバ１１に要求するための所定の操作を行う。この操作に応じて、ＴＶ付き携帯端末装置１は、視聴中の放送局を示す放送局情報と、当該ＴＶ付き携帯端末装置１のＩＤ情報とを、視聴情報１０として、通信機能を利用してインターネット２を介して情報サーバ１１に送信する（ステップＳ２）。
【００３８】
放送局情報は、例えばチャンネル情報を用いることができる。これに限らず、現在テレビジョン放送番組を受信している地域の地域情報と、受信周波数情報とを用いてもよい。
【００３９】
なお、以下では、視聴中の映像が途切れや乱れなど、映像の視聴に支障を来すような状態を、映像障害と呼ぶ。また、以下では、繁雑さを避けるために、音声信号に関する記述を適宜、省略する。
【００４０】
インターネット２に対する通信状態が悪く、即座に視聴情報１０を情報サーバ１１に送信できない場合も考えられる。このような場合には、視聴者がＴＶ付き携帯端末１に対して上述の映像要求の所定の操作を行った時刻情報を、視聴情報１０にさらに加え、視聴情報１０を、ＴＶ付き携帯端末装置１内のメモリに所定に保存する。そして、通信状態が回復したら、時刻情報が加えられた視聴情報１０を情報サーバ１１に対して送信する。
【００４１】
一方、情報サーバ１１は、上述のように、各局で放送されたテレビジョン放送番組を常時、放送時刻と対応付けながら記録している。情報サーバ１１は、ＴＶ付き携帯端末装置１から送信された視聴情報１０を受信すると、視聴情報１０の放送局情報と、視聴情報１０を受信した時刻とに基づき、記録されたテレビジョン放送番組の中から、該当する番組のディジタル映像データおよびディジタル音声データを検索する。
【００４２】
そして、視聴情報１０を受信した時刻に基づき、当該時刻の一定時間前（例えば１０秒前）から一定時間分（例えば１５秒間）のディジタル映像データおよびディジタル音声データを読み出す。視聴情報１０に上述したようにして時刻情報が加えられているときは、視聴情報１０を受信した時刻の代わりに、視聴情報１０に加えられている時刻情報を用いてデータを読み出す。情報サーバ１１は、読み出した映像および音声データを、視聴情報１０中のＩＤ情報に基づき、インターネット２を介してＴＶ付き携帯端末装置１に対して送信する（ステップＳ３）。
【００４３】
ＴＶ付き携帯端末装置１は、受信したディジタル映像データおよびディジタル音声データを、ＴＶ付き携帯端末装置１が有する記憶媒体に記憶する。ユーザがＴＶ付き携帯端末装置１に対して所定の操作を行うことで、記憶媒体に記憶されたディジタル映像データおよびディジタル音声データが再生され、例えばディジタル映像データは、表示部に表示される（ステップＳ４）。
【００４４】
このように、この発明の実施の一形態によるシステムでは、ユーザがＴＶ付き携帯端末装置１によりテレビジョン放送電波を受信しテレビジョン放送番組を視聴中に、受信状態の悪化などによる映像障害が発生しても、ＴＶ付き携帯端末装置１に対して所定の操作を行うだけで、映像障害が発生した部分を視聴することができる。
【００４５】
図２は、ＴＶ付き携帯端末装置１の一例の構成を示す。例えば地上ディジタル放送によるテレビジョン放送電波は、アンテナ２０で受信され、放送電波受信部２１に供給される。放送電波受信部２１は、供給されたテレビジョン放送電波に対して所定に復調処理、エラー訂正処理などを施し、テレビジョン放送電波に基づくディジタル映像データおよびディジタル音声データを出力する。
【００４６】
放送電波受信部２１から出力されたディジタル映像データは、後述する制御部２８に制御されるスイッチ２２の入力端２２Ａに供給される。スイッチ２２において入力端２２Ａが選択されていれば、ディジタル映像データは、例えばＬＣＤ(Liquid Crystal Display)を表示素子として用いた表示部２３に供給され、テレビジョン放送番組の映像が表示素子に映出される。放送電波受信部２１から出力されたディジタル音声データについても、同様にして図示されない音声出力部に供給され、再生音声とされる。
【００４７】
なお、ＴＶ付き携帯端末装置１が対応可能なテレビジョン放送方式は、地上ディジタル放送に限定されない。例えば、アナログ方式のテレビジョン放送方式に対応するようにしてもよい。アナログ方式のテレビジョン放送方式としては、ＮＴＳＣ方式、ＰＡＬ、ＳＥＣＡＭが考えられる。また、ディジタル方式も、日本国内の地上ディジタル放送に限らず、他国の規格に対応させることが考えられる。
【００４８】
一方、インターネット２との通信は、アンテナ２４を用いて行われる。例えば、インターネット２に対して宛先をＴＶ付き携帯端末装置１として送信されたデータが基地局に受信され、基地局で所定の形式の通信電波に変調され、ＴＶ付き携帯端末装置１に向けて送信される。この通信電波は、アンテナ２４で受信され、通信電波送受信部２５に供給される。通信電波送受信部２５は、供給された信号に対して、所定に復調処理、エラー訂正処理、復号処理などを施し、ディジタルデータとして出力する。通信電波送受信部２５から出力されたディジタルデータは、データ記憶再生部２６に供給される。データ記憶再生部２６は、制御部２８の制御に基づき、供給されたディジタルデータを、例えばフラッシュメモリといった不揮発性の記憶媒体２７に記憶する。
【００４９】
制御部２８は、例えばＣＰＵ(Central Processing Unit)、ＲＡＭ(Random Access Memory)およびＲＯＭ(Read Only Memory)を有する。ＲＯＭは、ＣＰＵにより読み込まれ動作されるプログラムや、このＴＶ付き携帯端末装置１の個体を識別するためのＩＤが予め記憶される。ＲＡＭは、ＣＰＵのワークメモリとして用いられる。ＣＰＵは、ＲＯＭに記憶されたプログラムを読み込み、プログラムに従い様々な処理を実行しコマンドの発行やデータの生成などを行い、このＴＶ付き携帯端末装置１の全体を制御する。
【００５０】
操作部２９は、ユーザからの操作を受け付けるための様々なキーやスイッチなどの操作子が設けられる。操作部２９は、これらキーやスイッチに対するユーザからの操作に応じた制御信号を出力し、制御部２８に供給する。制御部２８は、操作部２９から供給された制御信号に基づき、プログラムに従い所定の処理を実行する。
【００５１】
このＴＶ付き携帯端末装置１は、インターネット２に対してデータを送信することもできる。例えば、操作部２９に対する所定の操作に基づき制御部２８で送信データが生成され、この送信データが通信電波送受信部２５に供給される。通信電波送受信部２５は、供給された送信データに対して所定に符号化処理、エラー訂正符号化処理、変調処理などを施し、通信可能な信号として出力する。この信号は、アンテナ２４から通信電波として送信される。
【００５２】
なお、このＴＶ付き携帯通信端末１が対応可能なデータ通信方式は、特に限定されない。例えば、このＴＶ付き携帯端末装置１が携帯電話装置であれば、ＧＳＭ(Global System for Mobile Communications))、ＰＤＣ(Personal Digital Cellular)、ＣＤＭＡ(Code Division Multiple Access)、Ｗ−ＣＤＭＡ(Wideband-CDMA)といった、携帯電話装置の通信規格を用いることができる。また、携帯電話装置の通信規格に限られず、Ｂｌｕｔｏｏｔｈや無線ＬＡＮ(Local Area Network)といったコンピュータ装置で多く用いられる通信規格を用いてもよい。
【００５３】
このＴＶ付き携帯端末装置１は、記憶媒体２７に記憶されたデータを読み出し、表示部２３に対して、読み出されたデータに応じた表示を行うことができる。データ記憶再生部２６は、制御部２８の制御に基づき、記憶媒体２７に記憶されたデータを読み出し、読み出されたデータの種類に応じて所定の処理を施す。また、制御部２８は、スイッチ２２に対し入力端２２Ｂを接続するように制御する。データ記憶再生部２６から出力されたデータは、スイッチ２２を介して表示部２３に供給され、所定の表示がなされる。
【００５４】
なお、上述では、このＴＶ付き携帯端末装置１がテレビジョン放送電波受信用のアンテナ２０と、データ通信用のアンテナ２４とを有しているように説明したが、これはこの例に限定されない。例えば、アンテナ２０とアンテナ２４とは、外見上、１本のアンテナであるように構成される。
【００５５】
また、制御部２８が有するＲＯＭとして、例えばＥＥＰＲＯＭ(Electrically Erasable Programmable Read Only Memory)といった、書き換え可能な記憶媒体を用い、記憶されるプログラムの更新や追加を可能とすることができる。更新や追加されるプログラムは、例えばインターネット２を介して送信され、アンテナ２４で受信される。これに限らず、制御部２８に対して例えばパーソナルコンピュータなどの外部の情報機器と有線または無線で通信するためのインターフェイスを接続し、このインターフェイスを介して更新や追加されるプログラムを供給するようにしてもよい。外部の情報機器からプログラムの追加や更新を行う場合には、更新や追加されたプログラムなどを、ＣＤ−ＲＯＭ(Compact Disc-Read Only Memory)やＤＶＤ−ＲＯＭ(Digital Versatile Disc-ROM)といった記録媒体に予め記録して提供することができる。
【００５６】
このような構成のＴＶ付き携帯端末装置１において、視聴者は、操作部２９に対する所定の操作により所望の放送局を選択する。操作部２９に対する放送局の選択操作が制御部２８に伝えられると、制御部２８は、選択された放送局を示す放送局情報を出力する。放送局情報は、放送電波受信部２１に供給される。放送電波受信部２１は、供給された放送局情報に基づき受信設定を行い、テレビジョン放送電波を選択的に受信する。
【００５７】
図３は、情報サーバ１１の一例の構成を示す。例えば地上ディジタル放送によるテレビジョン放送電波がアンテナ４０で受信され、放送電波受信部４１に供給される。放送電波受信部４１は、供給されたテレビジョン放送電波に対して所定に復調処理などを施し、テレビジョン放送電波に基づくディジタル映像データおよびディジタル音声データを出力する。実際には、放送電波受信部４１は、各放送局についてそれぞれ設けられ、また、ディジタル方式およびアナログ方式のテレビジョン放送に対してそれぞれ設けられる。
【００５８】
アナログ方式のテレビジョン放送は、放送電波受信部４１で復調されアナログ映像信号およびアナログ音声信号とされた後、Ａ／Ｄ変換され、ディジタル映像信号およびディジタル音声信号とされる。ディジタル方式のテレビジョン放送の場合、放送電波受信部４１は、受信信号を復調して得られたストリームデータをそのまま出力してもよいし、ストリームデータからディジタル映像データおよびディジタル音声データを取り出してもよい。
【００５９】
放送電波受信部４１から出力されたディジタル映像データおよびディジタル音声データは、映像記録再生部４２に供給され、後述する制御部４５の制御に基づき、例えばハードディスクからなる記録媒体４３に記録される。映像記録再生部４２は、ディジタル映像データおよびディジタル音声データと、当該ディジタル映像データおよびディジタル音声データが放送された時刻を示す放送時刻情報とが対応付けて、記録媒体４３に記録する。放送時刻情報は、例えば、ディジタル映像データのフレーム毎に対応付けられる。
【００６０】
映像記録再生部４２は、ディジタル映像データおよびディジタル音声データを所定に圧縮符号化して記録媒体４３に記録する。圧縮符号化は、データレートがインターネット２での通信に適するように行われる。圧縮符号化方式は、特に限定しないが、ＭＰＥＧ(Moving Pictures Experts Group)４  ＡＶＣ｜Ｈ．２６４やＭＰＥＧ２に規定される方式を用いることができる。これに限らず、クイックタイム(QuickTime：登録商標)などの、パーソナルコンピュータ向けに開発された圧縮符号化方式を用いることもできる。
【００６１】
なお、ディジタル映像データおよびディジタル音声データの記録媒体４３への記録は、必ずしも蓄積的に行う必要はない。すなわち、情報サーバ１１は、現在の時刻に対して所定時間前（例えば１０分前）からの情報を保持していれば、視聴者から要求された映像を送信することができる。例えば、現在時刻に対して１０分前より過去のデータを順次、自動的に消去していくことで、記録容量を削減することができ、情報サーバ１１をより小規模に構成することが可能となる。
【００６２】
制御部４５は、例えばＣＰＵ(Central Processing Unit)、ＲＡＭ(Random Access Memory)、ＲＯＭ(Read Only Memory)およびハードディスクなどがバスで接続されてなる。ＲＯＭは、ＣＰＵの起動用のプログラムなどが予め記憶される。ＣＰＵに読み込まれ実行されるプログラムや、プログラムの実行時に用いられるデータは、ハードディスクに格納される。ＴＶ付き携帯端末装置１のＩＤ情報とインターネット２上のアドレス情報とを関連付けるユーザ情報テーブルも、このハードディスクに格納される。ハードディスクに格納されたプログラムやデータは、ハードディスクから読み出されてＲＡＭに記憶され、ＣＰＵは、ＲＡＭに記憶されたこれらプログラムやデータを読み込み、プログラムに従い様々な処理を実行し、この情報サーバ１１の全体を制御する。
【００６３】
制御部４５のハードディスクに格納されるプログラムは、例えばＣＤ−ＲＯＭやＤＶＤ−ＲＯＭといった記録媒体に記録されて提供される。これらのＣＤ−ＲＯＭやＤＶＤ−ＲＯＭ、情報サーバ１１が有する図示されないドライブ装置により読み出され、ハードディスクに所定に格納される。
【００６４】
この情報サーバ１１は、インターネット２を介して上述のＴＶ付き携帯端末装置１と通信を行うことができる。例えば、制御部４５の制御に基づき、映像記録再生部４２により、記録媒体４３から圧縮符号化され記録されたディジタル映像データおよびディジタル音声データが読み出され、通信送受信部４４に供給される。通信送受信部４４は、例えば、供給されたデータを分割し、分割されたそれぞれを所定のパケットに詰め込み、所定に宛先情報を付加してインターネット２に対して送信する。
【００６５】
一方、インターネット２には、例えば上述したＴＶ付き携帯端末装置１の提供元である通信事業者の設備５０が接続される。通信事業者設備５０は、インターネット２との通信と、ＴＶ付き携帯端末装置１との通信を制御する通信電波送受信部５１を有する。上述した情報サーバ１１の通信送受信部４４から送信されたパケットは、インターネット２を介して通信電波送受信部５１に供給される。通信電波送受信部５１は、供給されたパケットを所定に変調して通信電波とし、アンテナ５２により送信する。送信された通信電波は、ＴＶ付き携帯端末装置１により受信される。
【００６６】
また、ＴＶ付き携帯端末装置１から送信された通信電波は、アンテナ５２により受信され、通信電波送受信部５１に供給される。通信電波送受信部５１は、供給された信号を復調し、インターネット２に対して送信する。この信号は、例えばインターネット２を介して情報サーバ１１の通信送受信部４４に受信される。
【００６７】
なお、上述では、情報サーバ１１が１台のコンピュータ装置を用いて構成されるように説明したが、これはこの例に限定されず、例えばネットワーク接続された複数のコンピュータ装置で機能などを分散させて構成することができる。
【００６８】
図４は、この発明の実施の一形態による映像提供システムによる一例の処理を示すチャート図である。図４の左側のフロー（ステップＳ１０〜ステップＳ１７）は、ＴＶ付き携帯端末装置１の処理の流れを示し、右側のフロー（ステップＳ２０〜ステップＳ２３）は、情報サーバ１１の処理の流れを示す。情報サーバ１１では、常時、各放送局のテレビジョン放送が受信され、各放送局毎の放送映像が継続的に記録される（ステップＳ２０）。
【００６９】
視聴者がＴＶ付き携帯端末１でテレビジョン放送番組を視聴中に、受信状態の悪化などにより映像障害が発生すると（ステップＳ１０）、ステップＳ１１で、視聴者は、ＴＶ付き携帯端末１の操作部２９に対して所定の操作を行い、映像障害が発生した部分の放送映像を情報サーバ１１に要求する。なお、ＴＶ付き携帯端末１において、映像障害が発生しているか否かを自動的に判断することも可能である。この自動判断については、後述する。
【００７０】
次のステップＳ１２で、ＴＶ付き携帯端末１において、ユーザによる操作がなされた時刻が例えば制御部２８が有するＲＡＭに記憶される。時刻情報を記憶媒体２７に記憶してもよい。そして、ステップＳ１３で通信電波送受信部２５によるインターネット２に対する通信が可能か否かが判断される。
【００７１】
通信が可能であると判断されれば、処理はステップＳ１４に移行し、ＴＶ付き携帯端末装置１で現在あるいはユーザの映像要求操作時に視聴中の放送局情報と、当該ＴＶ付き携帯端末装置のＩＤ情報とから、視聴情報１０が生成され、通信電波送受信部２５により送信される。上述のステップＳ１３で、通信が可能であると判断されるまで所定時間以上を要した場合には、ステップＳ１２に記憶された時刻情報が視聴情報１０にさらに加えられ、送信される。視聴情報１０は、基地局に受信されインターネット２上に送信される（ＳＥＱ１００）。
【００７２】
インターネット２上に送信された視聴情報は、情報サーバ１１に受信される。情報サーバ１１は、ステップＳ２１で、受信した視聴情報１０から放送局情報およびＩＤ情報を取り出すと共に、視聴情報１０を受信した時刻を例えば制御部４５が有するＲＡＭやハードディスクに記憶する。視聴情報１０に時刻情報が加えられている場合には、当該時刻情報が視聴情報を受信した時刻の代わりに用いられる。以下では、視聴情報１０に加えられている時刻情報と、視聴情報１０を受信した時刻を示す時刻情報とを、まとめて視聴時刻情報と呼ぶ。
【００７３】
次のステップＳ２２で、記録媒体４３に記録された映像データのうち、放送局情報に対応する映像データであって、且つ、視聴時刻情報の所定時間前（Ｔａ秒前とする）から所定時間後（Ｔｂ秒後とする）の映像データを抽出する。
【００７４】
図５Ａを用いて説明する。視聴時刻情報が示す時刻を時刻Ｔ0とする。映像記録再生部４２は、記録媒体４３に記録されている、放送局情報に対応する映像データにおける、時刻Ｔ0からＴａ秒前の時刻Ｔpの位置と、時刻Ｔ0からＴｂ秒後の時刻Ｔfの位置とを検索する。そして、当該映像データの時刻Ｔpから時刻Ｔfまでの部分を記録媒体４３から読み出し、送信データとする。
【００７５】
なお、記録媒体４３から送信データとして抽出される部分にコマーシャル映像が含まれている場合、当該コマーシャル映像を全て含むように抽出部分を設定してもよい。例えば、上述の時刻Ｔfの位置がコマーシャル映像の途中であれば、そのコマーシャル映像の終端に時刻Ｔfを設定することができる。同様に、時刻Ｔpの位置がコマーシャル映像の途中であれば、そのコマーシャル映像の先端に時刻Ｔpを設定することができる。また、送信される映像データ中にコマーシャル映像が含まれる場合に、送信するコマーシャル映像以外の映像データの長さが時間Ｔａと時間Ｔｂの合計長になるように、時刻Ｔfを設定することもできる。
【００７６】
次のステップＳ２３で、制御部４５は、視聴情報１０に含まれるＩＤ情報に基づき、当該視聴情報１０を送信したＴＶ付き携帯端末１のインターネット２上のアドレス情報を求める。そして、通信送受信部４４に対して、記録媒体４３から読み出した映像データを、インターネット２上の当該アドレス情報に対して送信するように命令する。通信送受信部４４は、この命令を受けて、映像データをインターネット２に送信する（ＳＥＱ１０１）。映像データは、所定のパケットのサイズに分割され、パケット毎に送信される。
【００７７】
送信された映像データは、通信事業者設備５０（基地局）を介して通信電波とされて送信され、ＴＶ付き携帯端末１にアンテナ２４により受信される。アンテナ２４で受信された映像データは、通信電波送受信部２５に供給される。通信電波送受信部２５は、供給された映像データをパケットから取り出して再構成し、データ記憶再生部２６に供給する。データ記憶再生部２６は、供給された映像データを、記憶媒体２７に記憶する（ステップＳ１５）。
【００７８】
制御部２８は、記憶媒体２７に記憶された映像データの再生要求を待機する（ステップＳ１６）。例えば、操作部２９に対して所定の再生要求操作がなされると、処理はステップＳ１７に移行し、制御部２８は、スイッチ２２を入力端２２Ｂが選択されるように制御すると共に、記憶媒体２７に記憶された映像データを読み出し再生するように、データ記憶再生部２６に命令を出す。データ記憶再生部２６は、この命令に従い記憶媒体２７から映像データを読み出し、所定に復号処理を施し出力する。データ記憶再生部２６から出力された映像データは、スイッチ２２を介して表示部２３に供給され、表示部２３に対して、供給された映像データに応じた表示がなされる。
【００７９】
図４のステップＳ１１において説明したように、ＴＶ付き携帯端末装置１は、映像障害が発生しているか否かを自動的に判断するようにできる。例えば、放送電波受信部２１において、受信したテレビジョン放送電波の検波出力のレベルを常時監視する。そして、このレベルが閾値以下の状態が一定時間以上連続したことを検出した場合に、テレビジョン放送電波が正常に受信されておらず、映像障害が発生していると見做し、映像障害を自動検出したものとする。また、映像障害を自動検出した後に、検波出力のレベルが閾値以上となり、この閾値以上の状態が一定時間以上連続したことが検出されると、映像障害の状態から復帰したものと見做し、映像障害からの復帰を自動検出したものとする。
【００８０】
なお、映像障害の自動検出の判断は、テレビジョン放送電波の検波出力のレベルに基づく方法に限られない。例えば、ディジタル方式のテレビジョン放送を受信する場合には、受信され復調された受信データに対するエラー訂正処理の際のエラーレートを監視することで、映像障害の有無を検出することができる。この場合には、エラーレートが閾値以上の状態が一定時間以上連続したときに、映像障害が発生していると見做し、映像障害を自動検出したものとすることができる。また、映像障害を自動検出した後に、エラーレートが閾値以下となり、この閾値以下の状態が一定以上連続したことが検出されると、映像障害の状態から復帰したものと見做すことができる。
【００８１】
ＴＶ付き携帯端末装置１は、上述のようにして映像障害を自動検出すると、受信している放送局情報と、当該ＴＶ付き携帯端末装置１のＩＤ情報とに基づき、自動的に視聴情報１０を生成し情報サーバ１１に送信する。インターネット２に対する通信状態が悪く、即座に視聴情報１０を情報サーバ１１に送信できないと判断された場合には、映像障害が自動検出された時刻を示す時刻情報を、視聴情報１０にさらに加え、通信状態の回復を待って送信する。
【００８２】
また、ＴＶ付き携帯端末装置１は、映像障害からの復帰を自動検出すると、映像障害から復帰したことを指定する情報と、当該ＴＶ付き携帯端末装置１のＩＤ情報とを情報サーバ１１に送信する。インターネット２に対する通信状態が悪く、即座にこれらの情報を情報サーバ１１に送信できないと判断された場合には、映像障害からの復帰を自動検出した時刻を示す時刻情報を、これらの情報にさらに加え、通信状態の回復を待って送信する。
【００８３】
なお、以下では、映像障害から復帰したことを指定する情報と、当該ＴＶ付き携帯端末装置１のＩＤ情報とを受信した時刻を示す時刻情報、ならびに、映像障害からの復帰を自動検出した時刻を示す時刻情報を、まとめて視聴復帰時刻情報と呼ぶ。
【００８４】
一方、情報サーバ１１側では、視聴時刻情報（視聴情報１０を受信した時刻または視聴情報１０に含まれる時刻情報）に対して所定のタイムアウト時間（例えば１分間）を予め設定する。そして、視聴時刻情報の所定時間前（Ｔａ秒前）から、視聴復帰時刻情報またはタイムアウト時間の到達の何れか早い方までの時間分の映像データを、記録媒体４３から抽出し、インターネット２を介してＴＶ付き携帯端末装置１に対して送信する。
【００８５】
図５Ｂおよび図５Ｃを用いて説明する。図５Ｂは、視聴復帰時刻情報がタイムアウト時間より前の時刻を示す場合の例、図５Ｃは、視聴復帰時刻情報がタイムアウト時間より後の時刻を示す場合の例である。視聴時刻情報が示す時刻を時刻Ｔ0とする。時刻Ｔoutは、時刻Ｔ0に対して所定のタイムアウト時間が経過した時刻である。
【００８６】
図５Ｂの例の場合、視聴復帰時刻情報が時刻Ｔoutより前の時刻Ｔf1を示している。映像記録再生部４２は、記録媒体４３に記録されている、放送局情報に対応する映像データから、時刻Ｔ0からＴａ秒前の時刻Ｔpの位置と、時刻Ｔf1の位置とを検索する。そして、当該映像データの時刻Ｔpから時刻Ｔf1の部分を記録媒体４３から読み出し、送信データとする。
【００８７】
一方、図５Ｃの例の場合、視聴復帰時刻情報が時刻Ｔoutより後の時刻Ｔf2を示している。映像記録再生部４２は、記録媒体４３に記録されている、放送局情報に対応する映像データから、時刻Ｔ0からＴａ秒前の時刻Ｔpの位置と、時刻Ｔoutの位置とを検索する。そして、当該映像データの時刻Ｔpから時刻Ｔoutの部分を記録媒体４３から読み出し、送信データとする。
【００８８】
なお、上述では、ＴＶ付き携帯端末装置１が携帯電話装置であるとして説明したが、これはこの例に限定されない。すなわち、ＴＶ付き携帯端末装置１は、テレビジョン放送電波の受信が可能で、インターネット２に対する通信機能を有し、移動中での使用などテレビジョン放送電波の受信状態が不安定な状態での使用が可能であれば、他の情報機器にも適用できる。例えば、ＰＤＡ(Personal Digital Assistant)装置にインターネット２への通信機能とテレビジョン放送電波の受信機能とを設けて、ＴＶ付き携帯端末装置１を構成してもよい。また、車載用の情報機器に適用することも可能である。さらに、携帯可能とされたパーソナルコンピュータに、テレビジョン放送電波の受信機能とインターネット２との通信機能とを搭載してＴＶ付き携帯端末装置１を構成してもよい。さらに、ＴＶ付き携帯端末装置１とインターネット２との通信は、必ずしも通信電波により基地局を介して行う必要はなく、有線で行うようにしてもよい。
【００８９】
次に、図６〜図１２を用いて、この発明の実施の一形態による映像提供システムを利用したビジネスモデルについて説明する。ビジネスモデルとしては、ユーザに課金する有料サービスと、ユーザに課金しない無料サービスとが考えられる。なお、以下の説明において、上述した映像要求システムは、情報システム１０２に含まれる。情報システム１０２は、情報サーバ１１と、ＴＶ付き携帯端末装置１に搭載される関連するソフトウェアを含む。また、放送局１０３は、テレビジョン放送番組などの放送コンテンツを放映する権利を有する放映権所有者を指す。
【００９０】
先ず、図６、図７および図８を用いて、有料サービスの例について説明する。有料サービスの場合、ビジネスモデルは、情報システム１０２を利用するユーザ１００と、システムを開発し提供する事業者１０１と、情報システム１０２にテレビジョン放送が記録される放送局１０３との間の関係からなる。情報システム１０２に用いられる要素技術を開発および／または提供する技術開発者１０４が別に存在するときは、技術開発者１０４も構成に加えられる。
【００９１】
図６は、情報システム１０２によるサービスの主体が事業者１０１であり、情報システム１０２の運用も事業者１０１が行う場合の例である。事業者１０１は、情報システム１０２の開発および設置を行うと共に、情報システム１０２を運用する。ユーザ１００は、事業者１０１に対してサービス利用料Ｐ１００を支払うことで、情報システム１０２によるサービスを受けることができる。事業者１０１は、放送局１０３に対して放送コンテンツ配信許諾料Ｐ１０１を支払い、放送コンテンツすなわち放送局１０３により放送されるテレビジョン放送番組の記録媒体４３への記録と、記録媒体４３に記録されたテレビジョン放送番組による映像および音声データの、ユーザ１００への配信の権利を得る。また、技術開発者１０４がいる場合、事業者１０１は、技術開発者１０４に対して、情報システム１０２で用いられる要素技術に対するライセンス料Ｐ１０２を支払う。事業者１０１は、例えばユーザ１００の数に応じた収益を得ることができる。
【００９２】
図７は、情報システム１０２によるサービスの主体が放送局１０３であり、情報システム１０２の運用を事業者１０１が行う場合の例である。放送局１０３は、事業者１０１に対してシステム利用料Ｐ１０３を支払い、情報システム１０２の利用権を得る。事業者１０１は、情報システム１０２の設置および運用を行う。すなわち、事業者１０１は、放送局１０３に対して情報システム１０２の運用を代行する。ユーザ１００は、放送局１０３に対してサービス利用料Ｐ１００を支払うことで、情報システム１０２によるサービスを受けることができる。また、技術開発者１０４がいる場合、事業者１０１は、技術開発者１０４に対して、情報システム１０２で用いられる要素技術に対するライセンス料Ｐ１０２を支払う。この図７のモデルの場合、ユーザ１００は、サービス利用料Ｐ１００を支払っている放送局１０３が放送したテレビジョン放送番組に対してのみ、映像障害に対する映像要求を行うことができる。事業者１０１は、例えば契約した放送局１０３の数に応じた収益を得ることができる。放送局１０３と契約しているユーザ１００に応じてシステム利用料Ｐ１０３を設定することもできる。
【００９３】
図８は、情報システム１０２によるサービスの主体が放送局１０３であり、情報システム１０２の運用も放送局１０３が行う場合の例である。事業者１０１は、放送局１０３に対して情報システム１０２の開発および設置を行う。放送局１０３は、事業者１０１に対してライセンス料Ｐ１０４を支払い、情報システム１０２を所有する。ユーザ１００は、放送局１０３に対してサービス利用料Ｐ１００を支払うことで、情報システム１０２によるサービスを受けることができる。また、技術開発者１０４がいる場合、事業者１０１は、技術開発者１０４に対して、情報システム１０２で用いられる要素技術に対するライセンス料Ｐ１０２を支払う。この図８のモデルの場合、ユーザ１００は、サービス利用料Ｐ１００を支払っている放送局１０３が放送したテレビジョン放送番組に対してのみ、映像障害に対する映像要求を行うことができる。事業者１０１は、ライセンスを与えた放送局１０３の数に応じた収益を得ることができる。
【００９４】
なお、有料サービスの場合、ユーザ１００を登録制とし、情報システム１０２に登録されたユーザ１００がサービスを受けられるようにできる。例えばＴＶ付き携帯端末装置１のＩＤ情報がユーザ１００の識別情報として、情報システム１０２に登録される。勿論、ユーザ１００がその都度利用料金を支払ってサービスを利用するようにもできる。
【００９５】
また、ユーザ１００のサービス利用料Ｐ１００は、インターネットなどの通信網を利用した電子商取引を用いて支払われる。一例として、情報システム１０２は、ユーザ１００の利用回数をカウントし、事業者１０１または放送局１０３は、このカウント数に応じてユーザ１００に対する課金を決定する。同様に、図６において、事業者１０１から放送局１０３に対する放送コンテンツ配信許諾料Ｐ１０１も、電子商取引を用いて支払うようにすると、好ましい。この場合、情報システム１０２からユーザ１００に対して送信されたコンテンツ量などに応じて、自動的に放送コンテンツ配信許諾料Ｐ１０１を決定することができる。図７の、放送局１０３から事業者１０１に対するシステム利用料Ｐ１０３も同様にして、電子商取引を用いるのが好ましい。さらに、技術開発者１０４に対するライセンス料Ｐ１０２も、同様にして電子商取引を用いて支払い、情報システム１０２の利用数などに応じて料金を決定することができる。
【００９６】
次に、図９、図１０、図１１および図１２を用いて、無料サービスの例について説明する。無料サービスの場合、ビジネスモデルは、上述のユーザ１００、事業者１０１および放送局１０３に対して、広告主１０５が加わる。すなわち、広告主１０５から広告媒体料を得ることで、ユーザ１００による情報システム１０２の利用料金を無料とすることを実現している。
【００９７】
広告主１０５は、広告媒体料を支払い、映像障害の発生に伴い要求された映像に対して広告主１０５による広告を表示させる。図９は、ＴＶ付き携帯端末装置１の表示部２３に表示される表示画面２００に対する広告表示の例を示す。図９Ａは、表示画面２００の一部に常に広告表示２０２を表示させる例である。図９Ａの例では、表示画面２００の上部に、映像障害により要求したテレビジョン放送番組による映像２０１が表示され、その直下に広告表示２０２が帯状に表示される。このような、表示画面２００の一部に表示される帯状の表示をバナー表示と呼ぶ。バナー表示の位置は、映像２０１の直下に限らず、直上でもよいし、左端および／または右端に縦方向に表示してもよい。
【００９８】
例えば、広告表示２０２に用いる映像または画像データは、契約された広告主１０５から提供され、情報サーバ１１の記録媒体４３に格納される。情報サーバ１１は、記録媒体４３から視聴情報１０により要求された映像データを記録媒体４３から読み出すと共に、広告表示２０２に用いる映像または画像データを読み出す。読み出された視聴情報１０により要求された映像データと、広告表示２０２に用いる映像または画像データとは、例えば映像記録再生部４２で所定に合成され、情報サーバ１１から送信される。
【００９９】
広告表示は、バナー表示に限らず、図９Ｂに一例が示されるように、表示画面２００に対して全面に表示させることもできる。この場合、広告表示２０４は、視聴情報１０により要求された映像データの先頭側に付加される。例えば、広告表示２０２に用いる映像データは、契約された広告主１０５から提供され、情報サーバ１１の記録媒体４３に格納される。情報サーバ１１は、記録媒体４３から視聴情報１０により要求された映像データを読み出すと共に、この広告表示２０２に用いる映像データを読み出す。映像記録再生部４２は、広告表示２０２に用いる映像データと、要求された映像データとを、広告表示２０２に用いる映像データが時間的に前に再生され、要求された映像データがその次に再生されるように配列して、出力する。
【０１００】
図１０は、情報システム１０２によるサービスの主体が事業者１０１であり、情報システム１０２の運用も事業者１０１が行う場合の例である。事業者１０１は、情報システム１０２の開発および設置を行うと共に、情報システム１０２を運用する。ユーザ１００は、情報システム１０２を無料で利用することができる。事業者１０１は、放送局１０３に対して放送コンテンツ配信許諾料（図示しない）を支払い、放送コンテンツすなわち放送局１０３により放送されるテレビジョン放送番組の記録媒体４３への記録と、記録媒体４３に記録されたテレビジョン放送番組による映像および音声データの、ユーザ１００への配信の権利を得る。また、技術開発者１０４がいる場合、事業者１０１は、技術開発者１０４に対して、情報システム１０２で用いられる要素技術に対するライセンス料Ｐ１０２を支払う。
【０１０１】
一方、広告主１０５は、広告媒体料Ｐ１０５を放送局１０３に支払い、広告を放送局１０３の放送コンテンツと共に放送させる。また、放送局１０３から事業者１０１に対して広告媒体料Ｐ１０５の一部が支払われ、情報システム１０２により、広告主１０５により提供される広告が映像障害の発生に伴い要求された映像と共にＴＶ付き携帯端末装置１に対して送信される。送信された広告は、ＴＶ付き携帯端末装置１の表示画面２００に対して、例えば図９を用いて既に説明したようにして表示される。この図１０のモデルの場合、例えば、ユーザ１００の情報システム１０２に対するアクセス数に応じて、放送局１０３から事業者１０１に対して支払われる広告媒体料の一部の割合などを設定することができる。
【０１０２】
図１１は、情報システム１０２によるサービスの主体が放送局１０３であり、情報システム１０２の運用を事業者１０１が行う場合の例である。放送局１０３は、事業者１０１に対してシステム利用料Ｐ１０３を支払い、情報システム１０２の利用権を得る。事業者１０１は、情報システム１０２の設置および運用を行う。すなわち、事業者１０１は、放送局１０３に対して情報システム１０２の運用を代行する。ユーザ１００は、情報システム１０２を無料で利用することができる。また、技術開発者１０４がいる場合、事業者１０１は、技術開発者１０４に対して、情報システム１０２で用いられる要素技術に対するライセンス料Ｐ１０２を支払う。
【０１０３】
一方、広告主１０５は、放送局１０３に対して広告媒体料Ｐ１０５を支払い、広告を放送局１０３の放送コンテンツと共に放送させる。それと共に、情報システム１０２により、広告主１０５により提供される広告が映像障害の発生に伴い要求された映像と共にＴＶ付き携帯端末装置１に対して送信され、ＴＶ付き携帯端末装置１の表示画面２００に表示される。この図１１のモデルの場合、例えば、ユーザ１００の情報システム１０２に対するアクセス数に応じて、広告媒体料Ｐ１０５やシステム利用料Ｐ１０３を設定することができる。
【０１０４】
図１２は、情報システム１０２によるサービスの主体が放送局１０３であり、情報システム１０２の運用も放送局１０３が行う場合の例である。事業者１０１は、放送局１０３に対して情報システム１０２の開発および設置を行う。放送局１０３は、事業者１０１に対してライセンス料Ｐ１０４を支払い、情報システム１０２を所有する。ユーザ１００は、情報システム１０２を無料で利用することができる。また、技術開発者１０４がいる場合、事業者１０１は、技術開発者１０４に対して、情報システム１０２で用いられる要素技術に対するライセンス料Ｐ１０２を支払う。
【０１０５】
一方、広告主１０５は、放送局１０３に対して広告媒体料Ｐ１０５を支払い、広告を放送局１０３の放送コンテンツと共に放送させる。それと共に、情報システム１０２により、広告主１０５により提供される広告が映像障害の発生に伴い要求された映像と共にＴＶ付き携帯端末装置１に対して送信され、ＴＶ付き携帯端末装置１の表示画面２００に表示される。この図１２のモデルの場合、例えば、ユーザ１００の情報システム１０２に対するアクセス数に応じて、広告媒体料Ｐ１０５を決めることができる。
【０１０６】
なお、これらの無料サービスの場合も、上述した有料サービスの場合と同様に、各料金の支払いは、インターネットなどの通信網を利用した電子商取引を用いるのが好ましい。
【図面の簡単な説明】
【０１０７】
【図１】この発明の実施の一形態による映像提供システムを説明するための図である。
【図２】ＴＶ付き携帯端末装置の一例の構成を示すブロック図である。
【図３】情報サーバの一例の構成を示すブロック図である。
【図４】この発明の実施の一形態による映像提供システムによる一例の処理を示すチャート図である。
【図５】記録媒体から送信する映像データを抽出する方法を説明するための略線図である。
【図６】この発明の実施の一形態による映像提供システムを利用したビジネスモデルについて説明するための図である。
【図７】この発明の実施の一形態による映像提供システムを利用したビジネスモデルについて説明するための図である。
【図８】この発明の実施の一形態による映像提供システムを利用したビジネスモデルについて説明するための図である。
【図９】ＴＶ付き携帯端末装置の表示画面に対する広告表示の例を示す略線図である。
【図１０】この発明の実施の一形態による映像提供システムを利用したビジネスモデルについて説明するための図である。
【図１１】この発明の実施の一形態による映像提供システムを利用したビジネスモデルについて説明するための図である。
【図１２】この発明の実施の一形態による映像提供システムを利用したビジネスモデルについて説明するための図である。
【符号の説明】
【０１０８】
１  ＴＶ付き携帯端末装置
２  インターネット
１０  視聴情報
１１  情報サーバ
２１  放送電波受信部
２２  スイッチ
２３  表示部
２５  通信電波送受信部
２６  データ記憶再生部
２７  記憶媒体
２８  制御部
２９  操作部
４１  放送電波受信部
４２  映像記録再生部
４３  記録媒体
４４  通信電波送受信部
４５  制御部
１００  ユーザ
１０１  事業者
１０２  情報システム
１０３  放送局
１０５  広告主
【図１】
2006005770.tif 000003
【図２】
2006005770.tif 000004
【図３】
2006005770.tif 000005
【図４】
2006005770.tif 000006
【図５】
2006005770.tif 000007
【図６】
2006005770.tif 000008
【図７】
2006005770.tif 000009
【図８】
2006005770.tif 000010
【図９】
2006005770.tif 000011
【図１０】
2006005770.tif 000012
【図１１】
2006005770.tif 000013
【図１２】
2006005770.tif 000014